【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、負の屈折力の第４レンズ群、複数のレンズ群を含む後群より構成され、ズーミング又はフォーカシングの少なくとも一方に際して隣り合うレンズ群の間隔が変化するズームレンズにおいて、
前記後群は、正の屈折力のレンズ群Ｌｐと、該レンズ群Ｌｐの像側に配置された負の屈折力のレンズ群Ｌｎを有し、
無限遠から近距離へのフォーカシングに際して、前記レンズ群Ｌｐは物体側に移動し、前記レンズ群Ｌｎは像側に移動し、
広角端において無限遠にフォーカスしているときにおける前記第４レンズ群と前記レンズ群Ｌｐとの光軸上の間隔をｄｐｗ、望遠端において無限遠にフォーカスしているときにおける前記第４レンズ群と前記レンズ群Ｌｐとの光軸上の間隔をｄｐｔ、広角端において無限遠にフォーカスしているときにおける前記レンズ群Ｌｎと該レンズ群Ｌｎの像側に隣接して配置されたレンズ群との光軸上の間隔をｄｎｗ、望遠端において無限遠にフォーカスしているときにおける前記レンズ群Ｌｎと該レンズ群Ｌｎの像側に隣接して配置されたレンズ群との光軸上の間隔をｄｎｔとし、前記レンズ群Ｌｎの像側に配置されたレンズ群が存在しないときの前記間隔ｄｎｗ及びｄｎｔを、それぞれ広角端と望遠端における前記レンズ群Ｌｎと像面との光軸上の間隔とするとき、
１．０＜ｄｐｔ／ｄｐｗ＜２０．０
１．０＜ｄｎｔ／ｄｎｗ＜２０．０
なる条件式を満足することを特徴とするズームレンズ。
【請求項２】
前記レンズ群Ｌｐの焦点距離をｆｐ、広角端における全系の焦点距離をｆｗとするとき、
１．０＜ｆｐ／ｆｗ＜８．０
なる条件式を満足することを特徴とする請求項１に記載のズームレンズ。
【請求項３】
前記レンズ群Ｌｎの焦点距離をｆｎ、広角端における全系の焦点距離をｆｗとするとき、
１．０＜｜ｆｎ／ｆｗ｜＜８．０
なる条件式を満足することを特徴とする請求項１または２に記載のズームレンズ。
【請求項４】
前記レンズ群Ｌｎは前記レンズ群Ｌｐの像側に隣接して配置されていることを特徴とする請求項１乃至３のいずれか１項に記載のズームレンズ。
【請求項５】
前記レンズ群Ｌｎは、前記後群に含まれるレンズ群の中で最も像側に配置されていることを特徴とする請求項１乃至４のいずれか１項に記載のズームレンズ。
【請求項６】
前記レンズ群Ｌｎは、前記後群に含まれるレンズ群のうち像側から数えて２番目に配置されていることを特徴とする請求項１乃至４のいずれか１項に記載のズームレンズ。
【請求項７】
前記後群は、物体側から像側へ順に配置された、正の屈折力の第５レンズ群、負の屈折力の第６レンズ群、負の屈折力の第７レンズ群より構成され、前記第５レンズ群が前記レンズ群Ｌｐであり、前記第６レンズ群が前記レンズ群Ｌｎであり、ズーミングに際して前記第５レンズ群と前記第６レンズ群は同一の軌跡で移動することを特徴とする請求項１乃至４のいずれか１項に記載のズームレンズ。
【請求項８】
前記後群は、物体側から像側へ順に配置された、正の屈折力の第５レンズ群、負の屈折力の第６レンズ群より構成され、前記第５レンズ群が前記レンズ群Ｌｐであり、前記第６レンズ群が前記レンズ群Ｌｎであり、ズーミングに際して前記第５レンズ群と前記第６レンズ群は互いに異なる軌跡で移動することを特徴とする請求項１乃至４のいずれか１項に記載のズームレンズ。
【請求項９】
光電変換素子に像を形成することを特徴とする請求項１乃至８のいずれか１項に記載のズームレンズ。
【請求項１０】
請求項１乃至９のいずれか１項に記載のズームレンズと、該ズームレンズによって形成される像を受光する光電変換素子とを備えることを特徴とする撮像装置。
【手続補正２】
【補正対象書類名】明細書
【補正対象項目名】０００７
【補正方法】変更
【補正の内容】
【０００７】
本発明のズームレンズは、物体側から像側へ順に配置された、正の屈折力の第１レンズ群、負の屈折力の第２レンズ群、正の屈折力の第３レンズ群、負の屈折力の第４レンズ群、複数のレンズ群を含む後群より構成され、ズーミング又はフォーカシングの少なくとも一方に際して隣り合うレンズ群の間隔が変化するズームレンズにおいて、
前記後群は、正の屈折力のレンズ群Ｌｐと、該レンズ群Ｌｐの像側に配置された負の屈折力のレンズ群Ｌｎを有し、
無限遠から近距離へのフォーカシングに際して、前記レンズ群Ｌｐは物体側に移動し、前記レンズ群Ｌｎは像側に移動し、
広角端において無限遠にフォーカスしているときにおける前記第４レンズ群と前記レンズ群Ｌｐとの光軸上の間隔をｄｐｗ、望遠端において無限遠にフォーカスしているときにおける前記第４レンズ群と前記レンズ群Ｌｐとの光軸上の間隔をｄｐｔ、広角端において無限遠にフォーカスしているときにおける前記レンズ群Ｌｎと該レンズ群Ｌｎの像側に隣接して配置されたレンズ群との光軸上の間隔をｄｎｗ、望遠端において無限遠にフォーカスしているときにおける前記レンズ群Ｌｎと該レンズ群Ｌｎの像側に隣接して配置されたレンズ群との光軸上の間隔をｄｎｔとし、前記レンズ群Ｌｎの像側に配置されたレンズ群が存在しないときの前記間隔ｄｎｗ及びｄｎｔを、それぞれ広角端と望遠端における前記レンズ群Ｌｎと像面との光軸上の間隔とするとき、
１．０＜ｄｐｔ／ｄｐｗ＜２０．０
１．０＜ｄｎｔ／ｄｎｗ＜２０．０
なる条件式を満足することを特徴としている。
【手続補正３】
【補正対象書類名】明細書
【補正対象項目名】００１０
【補正方法】変更
【補正の内容】
【００１０】
以下に本発明の好ましい実施の形態を、添付の図面に基づいて詳細に説明する。本発明のズームレンズは、物体側から像側へ順に配置された、正の屈折力の第１レンズ群、負の屈折力の第２レンズ群、正の屈折力の第３レンズ群、負の屈折力の第４レンズ群、複数のレンズ群を含む後群より構成される。ズーミング又はフォーカシングの少なくとも一方に際して隣り合うレンズ群の間隔が変化する。
【手続補正４】
【補正対象書類名】明細書
【補正対象項目名】００１１
【補正方法】変更
【補正の内容】
【００１１】
後群は、正の屈折力のレンズ群Ｌｐと、レンズ群Ｌｐの像側に配置された負の屈折力のレンズ群Ｌｎを有している。無限遠から近距離へのフォーカシングに際して、レンズ群Ｌｐは物体側に移動し、レンズ群Ｌｎは像側に移動する。
【手続補正５】
【補正対象書類名】明細書
【補正対象項目名】００１７
【補正方法】変更
【補正の内容】
【００１７】
実施例１において、後群ＬＲは物体側から像側へ順に配置された、正の屈折力の第５レンズ群Ｌ５、負の屈折力の第６レンズ群Ｌ６、負の屈折力の第７レンズ群Ｌ７より構成されている。第５レンズ群Ｌ５はレンズ群Ｌｐであり、第６レンズ群Ｌ６はレンズ群Ｌｎである。ズーミングに際して第５レンズ群Ｌ５と第６レンズ群Ｌ６は同じ（同一の）軌跡で移動する。
【手続補正６】
【補正対象書類名】明細書
【補正対象項目名】００１８
【補正方法】変更
【補正の内容】
【００１８】
実施例２において、後群ＬＲは物体側から像側へ順に配置された、正の屈折力の第５レンズ群Ｌ５、負の屈折力の第６レンズ群Ｌ６より構成されている。第５レンズ群Ｌ５はレンズ群Ｌｐであり、第６レンズ群Ｌ６はレンズ群Ｌｎである。ズーミングに際して第５レンズ群Ｌ５と第６レンズ群Ｌ６は互いに異なる軌跡で移動する。
【手続補正７】
【補正対象書類名】明細書
【補正対象項目名】００２２
【補正方法】変更
【補正の内容】
【００２２】
各実施例では開口絞りＳＰよりも像側に２つのフォーカスレンズ群が配置されている。無限遠から近距離へフォーカシングするときには２つのレンズ群を異なった軌跡で移動させるフローティングフォーカス方式を用いている。この２つのフォーカシングに際して移動するレンズ群のうち一つは正の屈折力のレンズ群Ｌｐであり、もう一つは負の屈折力のレンズ群Ｌｎである。各実施例では物体側から像側へ順に、レンズ群Ｌｐ、レンズ群Ｌｐの像側に隣接してレンズ群Ｌｎを配置している。Focusに関する矢印で示すように無限遠から近距離へのフォーカシングに際し、レンズ群Ｌｐは物体側に、レンズ群Ｌｎは像側に移動する。
【手続補正８】
【補正対象書類名】明細書
【補正対象項目名】００２３
【補正方法】変更
【補正の内容】
【００２３】
ここでレンズ群Ｌｎは最も像側のレンズ群又は最も像側のレンズ群に隣接したレンズ群である。即ちレンズ群Ｌｎは後群ＬＲに含まれるレンズ群Ｌｐの中で最も像側に配置されているか又は後群ＬＲに含まれるレンズ群のうち像側から数えて２番目に配置されている。広角端において無限遠にフォーカスしているときにおける第４レンズ群Ｌ４と、レンズ群Ｌｐとの光軸上の間隔をｄｐｗ、望遠端において無限遠にフォーカスしているときにおける第４レンズ群Ｌ４と、レンズ群Ｌｐとの光軸上の間隔をｄｐｔとする。
【手続補正９】
【補正対象書類名】明細書
【補正対象項目名】００２４
【補正方法】変更
【補正の内容】
【００２４】
広角端において無限遠にフォーカスしているときにおけるレンズ群Ｌｎと、レンズ群Ｌｎの像側に隣接して配置されたレンズ群との光軸上の間隔をｄｎｗとする。望遠端において無限遠にフォーカスしているときにおけるレンズ群Ｌｎと、レンズ群Ｌｎの像側に隣接して配置されたレンズ群との光軸上の間隔をｄｎｔとする。レンズ群Ｌｎの像側に配置されたレンズ群が存在しないときの前記間隔ｄｎｗ，ｄｎｔをそれぞれ、広角端と望遠端における前記レンズ群Ｌｎと像面との光軸上の間隔とする。
このとき、
１．０＜ｄｐｔ／ｄｐｗ＜２０．０    ・・・（１）
１．０＜ｄｎｔ／ｄｎｗ＜２０．０    ・・・（２）
なる条件式を満足する。
【手続補正１０】
【補正対象書類名】明細書
【補正対象項目名】００３８
【補正方法】変更
【補正の内容】
【００３８】
次に各実施例のレンズ構成について説明する。
［実施例１］
図１を参照して、本発明の実施例１のズームレンズＯＬについて説明する。実施例１のズームレンズＯＬは焦点距離２８．９ｍｍから２０４．０ｍｍのズームレンズである。実施例１のズームレンズＯＬは、物体側から像側へ順に配置された、正の屈折力の第１レンズ群Ｌ１、負の屈折力の第２レンズ群Ｌ２、開口絞りＳＰ、正の屈折力の第３レンズ群Ｌ３を有する。さらに負の屈折力の第４レンズ群Ｌ４、正の屈折力の第５レンズ群Ｌ５、負の屈折力の第６レンズ群Ｌ６、負の屈折力の第７レンズ群Ｌ７を有する。
【手続補正１１】
【補正対象書類名】明細書
【補正対象項目名】００４３
【補正方法】変更
【補正の内容】
【００４３】
実施例１のズームレンズＯＬは、物体側から像側へ順に配置された、正の屈折力の第１レンズ群Ｌ１、負の屈折力の第２レンズ群Ｌ２、開口絞りＳＰ、正の屈折力の第３レンズ群Ｌ３を有する。さらに負の屈折力の第４レンズ群Ｌ４、正の屈折力の第５レンズ群Ｌ５、負の屈折力の第６レンズ群Ｌ６を有する。無限遠から近距離へのフォーカシングに際して第５レンズ群Ｌ５（Ｌｐ）が物体側へ第６レンズ群Ｌ６（Ｌｎ）は像側へ移動する。第５レンズ群Ｌ５ろがレンズ群Ｌｐに第６レンズ群Ｌ６がレンズ群Ｌｎに相当する。